(57)【要約】  イヤホンに関わる利便性を向上できるヘッドマウントディスプレイを提案する。  ヘッドマウントディスプレイ（１）は、表示装置（１１）を内蔵している装置本体（１０）と、装置本体（１０）から後側に延びており、ユーザの頭部に装着するための装着バンド（２０）と、装着バンド（２０）の右部に設けられ、右イヤホン（３１Ｒ）が脱着可能な右イヤホン保持部（２４Ｒ）と、装着バンド（２０）の左部に設けられ、左イヤホン（３１Ｌ）が脱着可能な左イヤホン保持部（２４Ｌ）とを有している。このＨＭＤ１によれば、ユーザはイヤホン（３１Ｒ）、（３１Ｌ）の位置を目で見なくても認識できる
2018221387.tif 000002
【特許請求の範囲】
【請求項１】
表示装置を内蔵している本体と、
前記本体から後側に延びており、ユーザの頭部に装着するための装着バンドと、
前記装着バンドの右部に設けられ、右イヤホンが脱着可能な右イヤホン保持部と、
前記装着バンドの左部に設けられ、左イヤホンが脱着可能な左イヤホン保持部と、を有
している
ことを特徴とするヘッドマウントディスプレイ。
【請求項２】
前記右イヤホン保持部と前記左イヤホン保持部のそれぞれは、前記イヤホンが挿入可能
な開口を有し、
前記開口の内縁は前記イヤホンの外周部を挟むように構成されている
ことを特徴とする請求項１に記載されるヘッドマウントディスプレイ。
【請求項３】
前記右イヤホンと前記左イヤホンのそれぞれは、ユーザの外耳道に挿入するためのイヤ
ーピースを有し、
前記開口の内縁は前記イヤーピースの外周部を挟むように構成されている
ことを特徴とする請求項２に記載されるヘッドマウントディスプレイ。
【請求項４】
前記開口の内縁は前記イヤーピースの縁に引っかからない
ことを特徴とする請求項３に記載されるヘッドマウントディスプレイ。
【請求項５】
前記右イヤホン保持部と前記左イヤホン保持部のそれぞれは、弾性変形可能な材料で形
成されている
ことを特徴とする請求項２に記載されるヘッドマウントディスプレイ。
【請求項６】
前記右イヤホン保持部と前記左イヤホン保持部は、前記装着バンドの表面に対して膨ら
んでいる、又は前記装着バンドの表面に対して凹んでいる
ことを特徴とする請求項１に記載されるヘッドマウントディスプレイ。
【請求項７】
前記装着バンドはイヤホンジャックを有し、
前記イヤホンジャックは、前記装着バンドの左右方向の中心から右方向又は左方向に離
れている
ことを特徴とする請求項１に記載されるヘッドマウントディスプレイ。
【請求項８】
前記装着バンドは、前記ケーブルの途中の部分が取り付けられる取付部を有し、
前記イヤホンジャックは、前記装着バンドの左右方向の中心から、右方向と左方向のう
ちの一方の方向に離れており、
前記取付部は、前記装着バンドの左右方向の中心から、右方向と左方向のうちの他方の
方向に離れている
ことを特徴とする請求項７に記載されるヘッドマウントディスプレイ。
【請求項９】
前記装着バンドは、前記右イヤホンと前記左イヤホンに接続しているケーブルの端部又
は途中の部分が取り付けられ、且つ左右方向において互いに離れている少なくとも２つの
取付部を有している
ことを特徴とする請求項１に記載されるヘッドマウントディスプレイ。
【請求項１０】
前記装着バンドはイヤホンジャックを有し、
前記イヤホンジャックは、前記装着バンドの下面に設けられている
ことを特徴とする請求項１に記載されるヘッドマウントディスプレイ。
【請求項１１】
前記装着バンドは後方且つ下方に斜めに延びており、
前記イヤホンジャックは、前記装着バンドの後端よりも前方に位置している
ことを特徴とする請求項１０に記載されるヘッドマウントディスプレイ。
【請求項１２】
前記装着バンドは、外部装置が検知するための発光部と、イヤホンジャックとを有し、
前記イヤホンジャックが設けられている面には、前記発光部は設けられていない
ことを特徴とする請求項１に記載されるヘッドマウントディスプレイ。
【請求項１３】
前記右イヤホン、前記左イヤホン、及び前記右イヤホンと前記左イヤホンとに接続して
いるケーブルを含むイヤホン装置を備え、
前記ケーブルは、前記ケーブルの端部に位置するプラグと前記右イヤホンとを接続する
右ケーブルと、前記プラグと前記左イヤホンとを接続する左ケーブルと、を有し、
前記装着バンドは前記プラグが挿入されるイヤホンジャックを有している
ことを特徴とする請求項１に記載されるヘッドマウントディスプレイ。
【請求項１４】
前記イヤホン装置は、前記プラグの基部に設けられ、前記右ケーブルの延伸方向を案内
し、且つ前記左ケーブルの延伸方向を案内する第１ガイド部を有している
ことを特徴とする請求項１３に記載されるヘッドマウントディスプレイ。
【発明の詳細な説明】
【技術分野】
【０００１】
本発明はヘッドマウントディスプレイに関する。
【背景技術】
【０００２】
ユーザの頭部に装着するためのヘッドマウントディスプレイが利用されている。国際公開第２０１５／１３７１６５号明細書のヘッドマウントディスプレイは、ユーザの眼前に配置されるディスプレイを内蔵している本体と、本体から後側に延びている装着バンドとを有している。ヘッドマウントディスプレイの使用時、装着バンドはユーザの頭部に装着される。
【発明の概要】
【発明が解決しようとする課題】
【０００３】
ユーザは、イヤホンで音声を聞きながら、ヘッドマウントディスプレイを使用する場合がある。従来のヘッドマウントディスプレイでは、イヤホンに関して、ユーザが不便を感じるときがあった。例えば、ユーザがヘッドマウントディスプレイを頭部に装着すると、ユーザの視線はディスプレイで塞がれるので、ユーザは手探りでイヤホンを探す必要がある。このとき、ユーザがイヤホンをすぐには発見できず、不便を感じるときがある。【０００４】
本明細書の目的の一つは、イヤホンに関わる利便性を向上できるヘッドマウントディスプレイを提案することにある。
【課題を解決するための手段】
【０００５】
本発明の一実施形態に係るヘッドマウントディスプレイは、表示装置を内蔵している本体と、前記本体から後側に延びており、ユーザの頭部に装着するための装着バンドと、前記装着バンドの右部に設けられ、右イヤホンが脱着可能な右イヤホン保持部と、前記装着バンドの左部に設けられ、左イヤホンが脱着可能な左イヤホン保持部とを有している。このヘッドマウントディスプレイによれば、ユーザはイヤホンの位置を目で見なくても認識できるので、イヤホンに関して利便性を向上できる。なお、右イヤホンと左イヤホンは本発明の構成要素ではない。すなわち、イヤホン保持部を有しているものの、イヤホンを有していないヘッドマウントディスプレイも本発明の範囲である。
【図面の簡単な説明】
【０００６】
【図１】本発明の実施形態であるヘッドマウントディスプレイの一例を示す側面図である。
【図２】ヘッドマウントディスプレイの斜視図である。
【図３】ヘッドマウントディスプレイが有するリア支持部の下面を示す斜視図である。
【図４】リア支持部の外周面を示す斜視図である。
【図５Ａ】リア支持部の下面を示す底面図である。この図では、イヤホン装置がリア支持部に取り付けられている。
【図５Ｂ】リア支持部の下面を示す底面図である。この図では、イヤホン装置がリア支持部から取り外されている。
【図６】イヤホン保持部が取り外されたリア支持部を示す斜視図である。
【図７】イヤホン保持部の斜視図である。
【図８】イヤーピースを保持しているイヤホン保持部を示す正面図である。この図では、イヤホンが有するイヤーピースがイヤホン保持部に嵌められ、イヤホン保持部の開口の形状に合わせて変形している。
【図９】図８に示すＩＸ−ＩＸ線での断面図である。この図では、イヤホンの本体が二点鎖線で示されている。
【発明を実施するための形態】
【０００７】
以下、本発明の実施形態について説明する。以下の説明では、図１のＹ１及びＹ２が示す方向をそれぞれ前方及び後方と称し、図１のＺ１及びＺ２の示す方向をそれぞれ上方及び下方と称する。また、図２に示すＸ１及びＸ２が示す方向をそれぞれ右方向及び左方向と称する。また、以下の説明では、ヘッドマウントディスプレイをＨＭＤと称する。
【０００８】
図１に示すように、ＨＭＤ１は表示装置１１を内蔵している装置本体１０を有している。表示装置１１は、例えば液晶表示装置や有機エレクトロルミネセンス表示装置であるが、その種類は特に限定されない。ＨＭＤ１の使用時、装置本体１０はユーザの眼前を覆う。装置本体１０は表示装置１１を収容しているハウジング１２を有している。図２に示すように、ＨＭＤ１は、ハウジング１２の後縁から後方に延びている遮光部材１３を有してもよい。遮光部材１３は、ハウジング１２の後縁とユーザの顔面との間の隙間を閉じる。
【０００９】
図１に示すように、ＨＭＤ１は装置本体１０から後側に延びている装着バンド２０を有している。ＨＭＤ１の使用時、装着バンド２０はユーザの頭部Ｍに装着される。すなわち、装着バンド２０はユーザの頭部Ｍの外周に装着される。装着バンド２０は、その平面視において環状であり、その内側に頭部Ｍが配置される。ＨＭＤ１の例では、装着バンド２０は、後方且つ下方に斜めに延びている。これとは異なり、装着バンド２０は水平に延びてもよい。また、ＨＭＤ１は、装着バンド２０に加えて、ユーザの頭部Ｍに装着するための別のバンドを有してもよい。
【００１０】
図２に示すように、ＨＭＤ１の例では、装着バンド２０は、その最前部に、装置本体１０の上部に接続しているフロント支持部２１を有している。ＨＭＤ１の使用時、フロント支持部２１はユーザの頭部の前面に当てられる。フロント支持部２１の内面（後面）にはクッション２１ａが設けられてもよい。また、フロント支持部２１の内面（後面）は、頭部Ｍの前面にフィットするように湾曲してもよい。装着バンド２０は、フロント支持部２１の右側部分から後方に延びている右延伸部２２Ｒと、フロント支持部２１の左側部分から後方に延びている左延伸部２２Ｌとを有している。
【００１１】
また、装着バンド２０は、その後部に、延伸部２２Ｒ、２２Ｌの後部に接続されるリア支持部２３を有している。ＨＭＤ１の使用時、リア支持部２３は頭部Ｍの後側に当てられる（図１参照）。リア支持部２３の内面（前面）にはクッション２３ｋ（図２参照）が設けられてもよい。リア支持部２３は、延伸部２２Ｒ、２２Ｌに対して相対的に前後方向に移動可能に構成されている。これにより、装着バンド２０のサイズを頭部Ｍに適合できる。ＨＭＤ１の例では、リア支持部２３は円弧状に湾曲している。左延伸部２２Ｌの後部は、リア支持部２３の左側の前端に形成されている開口２３ｉ（図１参照）を通してリア支持部２３の内部に挿入され、右延伸部２２Ｒの後部は、リア支持部２３の右側の前端に形成されている開口を通してリア支持部２３の内部に挿入されている。リア支持部２３はハウジング２３Ｈを有している。ハウジング２３Ｈの内部には、リア支持部２３を延伸部２２Ｒ、２２Ｌに対して相対的に前後動させるための機構が配置されている。ＨＭＤ１の例では、リア支持部２３には、ハウジング２３Ｈの表面で露出している操作部材２３ｇを有している。操作部材２３ｇは回転可能であり、例えば一方向に回転させるとリア支持部２３は前方に移動する。リア支持部２３が内蔵する機構は適宜変更されてよい。
【００１２】
なお、装着バンド２０の構造は、ＨＭＤ１の例に限られない。例えば、装着バンド２０はフロント支持部２１を有していなくてもよい。この場合、延伸部２２Ｒ、２２Ｌの前端は装置本体１０に直接的に接続されてもよい。すなわち、右延伸部２２Ｒは装置本体１０の右側部分に接続され、延伸部２２Ｌは装置本体１０の左側部分に接続されてもよい。さらに他の例では、装着バンド２０のサイズを調節するための機構は、リア支持部２３ではなく、延伸部２２Ｒ、２２Ｌに設けられてもよい。
【００１３】
図１及び図２に示すように、ＨＭＤ１は、その外面に、複数の発光部５を有している。ＨＭＤ１の使用時、外部のカメラがＨＭＤ１の発光部５から出る光を検知する。カメラは、ゲーム装置やパーソナルコンピュータなどの情報処理装置に接続されている。情報処理装置はカメラで取得した情報に基づいて、ＨＭＤ１の位置及び姿勢、言い換えれば、ユーザの位置及び姿勢を算出する。ＨＭＤ１の例では、複数の発光部５は、装置本体１０のハウジング１２の外周縁に沿って並んでいる。また、複数の発光部５はリア支持部２３の外周面（背面）２３ａにも配置されている。発光部５の位置は、適宜変更されてよい。
【００１４】
図１及び図２に示すように、ＨＭＤ１はイヤホン装置３０を有している。イヤホン装置３０はユーザの左耳に装着する左イヤホン３１Ｌと、ユーザの右耳に装着する右イヤホン３１Ｒとを有している。ＨＭＤ１の例では、イヤホン３１Ｒ、３１Ｌは、いわゆるカナル型である。すなわち、各イヤホン３１Ｒ、３１Ｌは、音を出力するドライバユニットを内蔵している本体３１ａと、本体３１ａに取り付けられているイヤーピース３２とを有している。イヤーピース３２は、ドライバユニットから出力された音が通る孔である音道Ｈ１（図９参照）と、音道Ｈ１の中心線Ｃ９を中心とする傘状に形成されている外周部３２ａ（図９参照）とを有している。イヤホン３１Ｒ、３１Ｌの使用時、イヤーピース３２はユーザの外耳道に挿入される。イヤーピース３２はエラストマーなど、弾性変形可能な材料で形成されている。
【００１５】
なお、イヤホン３１Ｒ、３１Ｌの構造・種類は、ＨＭＤ１の例に限られない。例えば、イヤホン３１Ｒ、３１Ｌはインナーイヤー型でもよい。この場合、イヤホン３１Ｒ、３１Ｌはイヤーピース３２を有していなくてもよい。
【００１６】
図２に示すように、ＨＭＤ１は、装着バンド２０の左部に設けられる左イヤホン保持部２４Ｌを有している（装着バンド２０の「左部」とは、ＨＭＤ１の左右方向での中心Ｃ１よりも左方向に位置する部分である）。ＨＭＤ１は装着バンド２０の右部に設けられる右イヤホン保持部２４Ｒ（図５Ｂ参照）を有している（装着バンド２０の「右部」とは、ＨＭＤ１の中心Ｃ１よりも右方向に位置する部分である）。イヤホン３１Ｌ、３１Ｒはイヤホン保持部２４Ｌ、２４Ｒに取り付けたり（図４参照）、イヤホン保持部２４Ｌ、２４Ｒから取り外したりできる（図２参照）。このＨＭＤ１によれば、ユーザがイヤホン３１Ｒ、３１Ｌを耳に装着していないときに、イヤホン３１Ｒ、３１Ｌの位置が固定され、利便性を向上できる。また、イヤホン保持部２４Ｒ、２４Ｌはユーザの耳の近くに位置するので、ユーザはイヤホン３１Ｒ、３１Ｌをイヤホン保持部２４Ｒ、２４Ｌから自身の耳に簡単に付け替えることができる。
【００１７】
図５Ｂに示すように、ＨＭＤ１の例では、左イヤホン保持部２４Ｌは装着バンド２０において最も左方向に位置する部分に設けられ、右イヤホン保持部２４Ｒは装着バンド２０において最も右方向に位置する部分に設けられている。また、ＨＭＤ１の例では、イヤホン保持部２４Ｒ、２４Ｌは、装着バンド２０の前後方向での中心Ｃ２（図２参照）よりも後方に位置している。ＨＭＤ１の例とは異なり、イヤホン保持部２４Ｒ、２４Ｌは中心Ｃ２に位置してもよいし、中心Ｃ２よりも前方に位置してもよい。
【００１８】
イヤホン保持部２４Ｒ、２４Ｌは、イヤホン３１Ｌ、３１Ｒの端部が挿入可能となるように構成されている。上述したように、ＨＭＤ１の例では、イヤホン３１Ｒ、３１Ｌは、その端部に、イヤーピース３２を有している。イヤホン保持部２４Ｒ、２４Ｌはイヤーピース３２が挿入可能となるように構成されている。イヤホン保持部２４Ｒ、２４Ｌには開口２４ｍ（図７参照）が形成されている。イヤーピース３２はこの開口２４ｍに挿入できる。これによれば、ユーザは、イヤホン保持部２４Ｒ、２４Ｌに対して、イヤーピース３２を簡単に脱着できる。
【００１９】
イヤホン３１Ｒ、３１Ｌはインナーイヤー型でもよい。この場合、イヤホン保持部２４Ｒ、２４Ｌは、イヤホン３１Ｒ、３１Ｌのハウジング（ドライバユニットを収容しているハウジング）が挿入可能であってもよい。また、イヤホン保持部２４Ｒ、２４Ｌは、カナル型のイヤホンとインナーイヤー型のイヤホンの双方が挿入可能に構成されてもよい。
【００２０】
上述したように、装着バンド２０はリア支持部２３を有している。リア支持部２３は装着バンド２０の後部に位置し、装着バンド２０の他の部分（具体的には、延伸部２２Ｒ、２２Ｌ）に対して前後方向に移動可能である。リア支持部２３は円弧状に湾曲しており、リア支持部２３の右端及び左端は中央部よりも前方に位置している。リア支持部２３は、ＨＭＤ１の中心Ｃ１に対して左右対称に配置されている。リア支持部２３は、下面２３ｂ（図５Ａ参照）と、上面２３ｃ（図２参照）と、外周面２３ａ（図２参照）とを有している。
【００２１】
ＨＭＤ１の例では、イヤホン保持部２４Ｒ、２４Ｌはリア支持部２３に設けられている。より具体的には、イヤホン保持部２４Ｒ、２４Ｌはリア支持部２３の外周面２３ａに設けられている。また、イヤホン保持部２４Ｒ、２４Ｌはリア支持部２３の最前部に位置している。イヤホン保持部２４Ｒ、２４Ｌの配置は、ＨＭＤ１の例に限られない。例えば、イヤホン保持部２４Ｒ、２４Ｌは装着バンド２０の延伸部２２Ｒ、２２Ｌにそれぞれ設けられてもよい。
【００２２】
右イヤホン保持部２４Ｒは、その開口２４ｍが右側に向くように配置されている。左イヤホン保持部２４Ｌは、その開口２４ｍが左側に向くように配置されている。イヤホン保持部２４Ｒ、２４Ｌのこの配置によれば、ユーザは、イヤホン３１Ｒ、３１Ｌをイヤホン保持部２４Ｒ、２４Ｌに対して左右方向で脱着できる。したがって、ユーザは、その脱着作業をスムーズに行うことができる。ＨＭＤ１の例では、開口２４ｍの開口方向（図５Ｂで示す矢印Ｄ１の方向）は、後側に僅かに傾斜している。ＨＭＤ１の例とは異なり、開口２４ｍの開口方向は左右方向と平行でもよいし、前側に僅かに傾斜していてもよい。
【００２３】
図５Ｂに示すように、イヤホン保持部２４Ｒ、２４Ｌは装着バンド２０の表面に対して膨らんでいる。より詳細には、イヤホン保持部２４Ｒ、２４Ｌはリア支持部２３の外周面２３ａに対して膨らんでいる。言い換えれば、右イヤホン保持部２４Ｒは外周面２３ａから右方向に僅かに突出し、左イヤホン保持部２４Ｌは外周面２３ａから左方向に僅かに突出している。この構造によると、ユーザは、指で外周面２３ａに触れることにより、イヤホン保持部２４Ｒ、２４Ｌの位置を見つけることができる。
【００２４】
ＨＭＤ１の例とは異なり、イヤホン保持部２４Ｒ、２４Ｌはリア支持部２３の外周面２３ａに対して凹んでいてもよい。この構造でも、ユーザは、指で外周面２３ａに触れることにより、イヤホン保持部２４Ｒ、２４Ｌの位置を見つけることができる。
【００２５】
イヤーピース３２は、その音道Ｈ１（図７及び図９参照）の方向において、イヤホン保持部２４Ｒ、２４Ｌの開口２４ｍに挿入できる。イヤホン保持部２４Ｒ、２４Ｌの開口２４ｍの内縁は、イヤーピース３２を挟むように形成されている。すなわち、開口２４ｍの内縁は、イヤーピース３２の外周部３２ａ（図８参照）を挟むように構成されている。言い換えれば、開口２４ｍの内縁は、イヤーピース３２が弾性変形するように形成されている。これによると、イヤホン保持部２４Ｒ、２４Ｌは、イヤーピース３２の弾性力を利用して、イヤホン３１Ｒ、３１Ｌを保持できる。
【００２６】
イヤーピース３２は、イヤーピース３２の音道Ｈ１の方向にこれを見たとき、円形である。一方、開口２４ｍの内縁は多角形である。図８に示すように、ＨＭＤ１の例では、開口２４ｍの内縁は略三角形であり、３つの縁部２４ｋを有している。３つの縁部２４ｋはイヤーピース３２の外周面２３ａを挟み、イヤーピース３２を弾性変形させている。開口２４ｍの形状は、ＨＭＤ１の例に限られない。開口２４ｍの内縁は、四角形や、それよりも角数の多い多角形でもよい。また、開口２４ｍは楕円形でもよい。
【００２７】
図７に示すように、イヤホン保持部２４Ｒ、２４Ｌは、開口２４ｍの内縁に、イヤーピース３２の挿入方向に延びている部分２４ｎを有している（以下では、この部分２４ｎを「内側フランジ」と称する）。この内側フランジ２４ｎは、イヤーピース３２の外周部３２ａの後縁３２ｃ（図９参照）が開口２４ｍの内縁に引っかかることを防止し、イヤーピース３２がイヤホン保持部２４Ｒ、２４Ｌからスムーズに取り外せることを可能とする。ＨＭＤ１の例では、開口２４ｍの３つの縁部２４ｋのそれぞれに、内側フランジ２４ｎが形成されている。なお、イヤーピース３２の後縁３２ｃが開口２４ｍの内縁に引っかかることを防止する構造は、内側フランジ２４ｎに限られない。
【００２８】
上述したように、リア支持部２３はその外面を構成するハウジング２３Ｈを有している。図６に示すように、ＨＭＤ１の例では、イヤホン保持部２４Ｒ、２４Ｌはハウジング２３Ｈとは別個に形成された部材であり、ハウジング２３Ｈに取り付けられている。ハウジング２３Ｈには凹部や孔である取付部２３ｄが形成されている。イヤホン保持部２４Ｒ、２４Ｌはこの取付部２３ｄに嵌められている。
【００２９】
ＨＭＤ１の例では、イヤホン保持部２４Ｒ、２４Ｌは円形であり、取付部２３ｄも円形である。イヤホン保持部２４Ｒ、２４Ｌはその外周に取付部２３ｄの内面に引っかかる係合部２４ｐを有している。イヤホン保持部２４Ｒ、２４Ｌ及び取付部２３ｄの形状は適宜変更されてよい。また、イヤホン保持部２４Ｒ、２４Ｌの取付部２３ｄへの取付構造も適宜変更されてよい。
【００３０】
ハウジング２３Ｈはプラスチック（例えば、ポリエチレンや、ポリスチレン、ＡＢＳ）で形成されている。イヤホン保持部２４Ｒ、２４Ｌは、ハウジング２３Ｈよりも柔らかい材料で形成されている。言い換えれば、イヤホン保持部２４Ｒ、２４Ｌは、弾性変形可能な材料（例えば、エラストマー（ゴムを含む））で形成されている。これによれば、イヤホン保持部２４Ｒ、２４Ｌは、その弾性力を利用して、イヤホン３１Ｒ、３１Ｌの端部（より具体的には、イヤーピース３２）を保持できる。ＨＭＤ１の例では、イヤホン保持部２４Ｒ、２４Ｌの開口２４ｍにイヤーピース３２が挿入されているとき、開口２４ｍの縁部２４ｋは僅かに弾性変形し、イヤホン保持部２４Ｒ、２４Ｌはその弾性力でイヤーピース３２を保持している。上述したように、イヤーピース３２も弾性変形可能な材料で形成されている。したがって、ＨＭＤ１の例では、イヤーピース３２は、イヤーピース３２の弾性力とイヤホン保持部２４Ｒ、２４Ｌの弾性力とによって、イヤホン保持部２４Ｒ、２４Ｌに保持される。
【００３１】
ＨＭＤ１の例とは異なり、イヤホン保持部２４Ｒ、２４Ｌの材料は、弾性変形可能な材料でなくてもよい。また、イヤホン保持部２４Ｒ、２４Ｌはハウジング２３Ｈと同じ材料で形成されてもよい。この場合、イヤホン保持部２４Ｒ、２４Ｌはハウジング２３Ｈと一体的に形成されてもよい。
【００３２】
イヤホン装置３０は、イヤホン３１Ｒ、３１Ｌから延びているケーブル３３と、ケーブル３３の端部に設けられているプラグ３４（図１参照）とを有している。ケーブル３３は、プラグ３４から右イヤホン３１Ｒに向かって延びている右ケーブル３３Ｒ（図３参照）と、プラグ３４から左イヤホン３１Ｌに向かって延びている左ケーブル３３Ｌ（図３参照）とを有している。
【００３３】
図５Ｂに示すように、装着バンド２０はプラグ３４を接続するためのイヤホンジャック２５を有している。イヤホンジャック２５は、イヤホン保持部２４Ｒ、２４Ｌよりも後方に位置している。イヤホンジャック２５のこの配置によると、ケーブル３３がユーザにとって邪魔になることを防ぐことができる。
【００３４】
ＨＭＤ１の例では、イヤホンジャック２５はリア支持部２３に設けられている。上述したように、イヤホン保持部２４Ｒ、２４Ｌもリア支持部２３に設けられている。このようにイヤホン保持部２４Ｒ、２４Ｌとイヤホンジャック２５の双方がリア支持部２３に設けられているので、装着バンド２０のサイズ調整のためにリア支持部２３を前後方向に動かしたとき、ケーブル３３の伸縮（変形）は生じない。
【００３５】
ＨＭＤ１の例では、イヤホンジャック２５は、リア支持部２３の下面２３ｂに設けられている。このため、図１に示すように、イヤホン装置３０の使用時、プラグ３４と左イヤホン３１Ｌとをつなぐ左ケーブル３３Ｌはユーザの耳の下側を取り囲むように湾曲する。その結果、左ケーブル３３Ｌがユーザにとって邪魔になることを、抑えることができる。イヤホンジャック２５の位置は、ＨＭＤ１の例に限られない。例えば、イヤホンジャック２５はリア支持部２３の上面２３ｃに設けられてもよい。
【００３６】
イヤホンジャック２５は、装着バンド２０の左右方向での中心Ｃ１から右方向又は左方向に離れている。図５Ｂに示すように、ＨＭＤ１の例では、イヤホンジャック２５は、中心Ｃ１から左方向に離れている。このため、左イヤホン３１Ｌとプラグ３４とを結ぶ左ケーブル３３Ｌを短くでき、その結果、左ケーブル３３Ｌが大きく撓むことを抑えることができる。
【００３７】
イヤホン装置３０の例では、右ケーブル３３Ｒは左ケーブル３３Ｌよりも長い。図５Ｂに示すように、装着バンド２０（より詳細には、リア支持部２３）は、右ケーブル３３Ｒの途中の部分が取り付けられる取付部２６を有している。この取付部２６は、装着バンド２０の左右方向での中心Ｃ１から右方向に離れている。すなわち、取付部２６は、中心Ｃ１からイヤホンジャック２５とは反対方向に離れている。この構造によると、右ケーブル３３Ｒが大きく撓むことを抑えることができる。
【００３８】
取付部２６は、イヤホンジャック２５と同様に、リア支持部２３の下面２３ｂに設けられている。このため、イヤホン装置３０の使用時、プラグ３４と右イヤホン３１Ｒとをつなぐ右ケーブル３３Ｒはユーザの耳の下側を取り囲むように湾曲し、その結果、右ケーブル３３Ｒがユーザにとって邪魔になることを、抑えることができる。
【００３９】
ＨＭＤ１の例では、取付部２６は、装着バンド２０の左右方向での中心Ｃ１に対して、イヤホンジャック２５と対称の位置に配置されている。すなわち、中心Ｃ１からイヤホンジャック２５までの距離と中心Ｃ１から取付部２６までの距離は、実質的に同じである。これによると、イヤホン装置３０を装着バンド２０に装着しているときに、ＨＭＤ１の美観を向上できる。
【００４０】
図３に示すように、ＨＭＤ１の例では、右ケーブル３３Ｒの途中には、ガイド部３６が取り付けられている。ガイド部３６は、例えば、右ケーブル３３Ｒよりも高い剛性を有する樹脂で形成される。ガイド部３６は右ケーブル３３Ｒに取り付けられている。リア支持部２３に設けられている取付部２６は、例えば孔である。この場合、右ケーブル３３Ｒのガイド部３６は被取付部（突起）３６ｃを有する。この被取付部３６ｃを取付部２６に差し込むことによって、ガイド部３６は取付部２６に取り付けられる。ＨＭＤ１の例とは異なり、取付部２６は孔でなくてもよい。例えば、取付部２６は、右ケーブル３３Ｒを保持できるフック状に形成されてもよい。
【００４１】
なお、イヤホンジャック２５と取付部２６の位置関係は、ＨＭＤ１の例に限られない。ＨＭＤ１の例では、イヤホンジャック２５が、取付部２６とは中心Ｃ１を挟んで反対側に位置する取付部として機能している。つまり、イヤホン装置３０は２つの取付部を有している。ＨＭＤ１の例とは異なり、取付部２６とは反対側にも取付部が設けられ、イヤホンジャック２５は２つの取付部とは別の位置に設けられてもよい。例えば、イヤホンジャック２５は左右方向での中心Ｃ１に配置されてもよい。さらに別の例では、取付部２６とは中心Ｃ１を挟んで反対側に、ケーブル３３の途中の部分が取り付けられる取付部が設けられてもよい。ＨＭＤのさらに別の例では、ＨＭＤ１の例とは反対に、イヤホンジャック２５は中心Ｃ１から右方向に離れて位置し、取付部２６は中心Ｃ１から左方向に離れて位置してもよい。
【００４２】
ＨＭＤ１の使用時、表示装置１１には、外部の情報処理装置（例えば、ゲーム装置やパーソナルコンピュータ）で生成された動画が表示される。図５Ｂに示すように、ＨＭＤ１には、動画情報をＨＭＤ１に入力するためのケーブル４１が接続可能なコネクタ２７が設けられている。コネクタ２７としては、例えばＨｉｇｈ−Ｄｅｆｉｎｉｔｉｏｎ  Ｍｕｌｔｉｍｅｄｉａ  Ｉｎｔｅｒｆａｃｅ（ＨＤＭＩ）規格に依拠したものが使用され得る。図５Ｂに示すように、ＨＭＤ１の例では、コネクタ２７は、イヤホンジャック２５と同様に、リア支持部２３に設けられている。より具体的には、コネクタ２７は、イヤホンジャック２５と同様に、リア支持部２３の下面２３ｂに設けられている。
【００４３】
図５Ｂに示すように、コネクタ２７は、左右方向での中心Ｃ１から、イヤホンジャック２５と同じ方向に離れている。これによれば、例えばコネクタ２７とイヤホンジャック２５とが互いに反対側に位置する構造に比して、ＨＭＤ１の使用時にケーブルがユーザにとって邪魔になることを、効果的に抑えることができる。ＨＭＤ１の例では、コネクタ２７は中心Ｃ１から左方向に離れている。ＨＭＤ１の例とは反対に、コネクタ２７とイヤホンジャック２５は、中心Ｃ１から右方向に離れていてもよい。
【００４４】
上述したように、装着バンド２０には、発光部５（図５Ｂ参照）が設けられている。ＨＭＤ１の例では、発光部５はリア支持部２３の外周面２３ａに設けられ、リア支持部２３の下面２３ｂには設けられていない。つまり、イヤホンジャック２５及びコネクタ２７が設けられている面に、発光部５は設けられていない。こうすることで、イヤホンジャック２５やコネクタ２７に接続されているケーブルが、外部のカメラによる光の検知の障害となることを抑えることができる。
【００４５】
図１に示すように、ＨＭＤ１の例では、装着バンド２０は、側面視において、その最前部に位置するフロント支持部２１から後方且つ下方に斜めに延びている。イヤホンジャック２５は、装着バンド２０の下端（後端）よりも前方に位置している。つまり、イヤホンジャック２５は、装着バンド２０の下端（リア支持部２３の下端２３ｅ）よりも高い位置に位置している。プラグの基部には、その延伸方向に延びるブッシング（プラグとケーブルとの接続部分を補強する樹脂）を有するプラグが接続される場合がある。イヤホンジャック２５の上述の配置によれば、例えばＨＭＤ１を水平面（例えばテーブル）においたときに、ブッシングが水平面に当たりブッシングに大きな負荷がかかることを、抑えることができる。
【００４６】
ＨＭＤ１の例では、コネクタ２７も、装着バンド２０の下端（後端）よりも前方に位置している。つまり、コネクタ２７も、装着バンド２０の下端（リア支持部２３の下端２３ｅ）よりも高い位置に位置している。イヤホンジャック２５とコネクタ２７の位置は、ＨＭＤ１の例に限られない。
【００４７】
図１及び図３に示すように、イヤホン装置３０は、プラグ３４の基部に位置するガイド部３５を有している。ガイド部３５は、ケーブル３３よりも高い剛性を有する。すなわち、ガイド部３５は、ケーブル３３よりも撓みにくい。ガイド部３５は、右ケーブル３３Ｒの延伸方向を規定する右ガイド３５ａと、左ケーブル３３Ｌの延伸方向を規定する左ガイド３５ｂとを有している。ガイド部３５によれば、ＨＭＤ１の使用時に、ケーブル３３がユーザにとって邪魔になることを抑えることができる。
【００４８】
ＨＭＤ１の例では、図５Ａに示すように、右ガイド３５ａと左ガイド３５ｂは、ＨＭＤ１の底面視においてこれらがリア支持部２３の外面に沿うように形成されている。より詳細には、右ガイド３５ａはリア支持部２３の下面２３ｂに沿って延びている（図１及び図３参照）。一方、左ガイド３５ｂは、図１に示すように、前方且つ下方に斜めに延びている。これにより、左ケーブル３３Ｌは、ユーザの左耳の下側を取り囲むように湾曲できる。
【００４９】
上述したように、右ケーブル３３Ｒの途中には、リア支持部２３の取付部２６に取り付けられるガイド部３６が設けられている。図３に示すように、右ケーブル３３Ｒは、ガイド部３６と上述したガイド部３５との間の部分３３ｄを有している（以下では、部分３３ｄを「第１の部分」と称する）。この第１の部分３３ｄは装着バンド２０の下面、より詳細には、リア支持部２３の下面２３ｂに沿って配置されている。上述したように、ＨＭＤ１の例では、リア支持部２３は湾曲しており、第１の部分３３ｄも、リア支持部２３と同様に、湾曲している。右ケーブル３３Ｒのこの配置によれば、右ケーブル３３Ｒがユーザにとって邪魔になることを効果的に抑えることができる。
【００５０】
第１の部分３３ｄは、ケーブル３３の他の部分、具体的には左ケーブル３３Ｌや、右イヤホン３１Ｒとガイド部３６との間の部分３３ｅよりも高い剛性を有している（以下では、この部分３３ｅを「第２の部分」と称する）。言い換えれば、第１の部分３３ｄは、ケーブル３３の他の部分よりも高い剛性を有する外皮を有している。このことによって、第１の部分３３ｄの湾曲形状が保たれている。ＨＭＤ１の例とは異なり、第１の部分３３ｄの材料は必ずしもこのような高い剛性を有する材料でなくてもよい。さらに他の例では、ガイド部３６とガイド部３５は繋がっていてもよい。この場合、ケーブル３３は高い剛性を有する第１の部分３３ｄを有していなくてもよい。
【００５１】
ＨＭＤ１の例では、ガイド部３６は、ケーブル３３よりも高い剛性を有する。すなわち、ガイド部３６は、ケーブル３３よりも撓みにくい。また、ＨＭＤ１の例では、右ケーブル３３Ｒの途中に設けられているガイド部３６の形状及び位置は、装着バンド２０の左右方向での中心Ｃ１に対して、ガイド部３５と実質的に対称である（図５Ａ参照）。すなわち、ガイド部３６は、被取付部（突起）３６ｃの基部から延びていて第１の部分３３ｄの延伸方向を規定する左ガイド３６ａと、被取付部３６ｃの基部から延びていて第２の部３３ｅの延伸方向を規定する右ガイド３６ｂとを有している。ガイド部３６によれば、右ケーブル３３Ｒの延伸方向を規定できるので、ＨＭＤ１の使用時に、ケーブル３３がユーザにとって邪魔になることを抑えることができる。
【００５２】
ＨＭＤ１の例では、左ガイド３６ａと右ガイド３６ｂは、ＨＭＤ１の底面視においてこれらがリア支持部２３の外面に沿うように形成されている。より詳細には、左ガイド３６ａはリア支持部２３の下面２３ｂに沿って延びている（図３参照）。一方、右ガイド３６ｂは被取付部３６ｃから前方且つ下方に斜めに延びている。これにより、第２の部分３３ｅは、ユーザの右耳の下側を取り囲むように湾曲できる。
【００５３】
以上説明したように、ＨＭＤ１は、表示装置１１を内蔵している装置本体１０と、装置本体１０から後側に延びており、ユーザの頭部に装着するための装着バンド２０と、装着バンド２０の右部に設けられ、右イヤホン３１Ｒが脱着可能な右イヤホン保持部２４Ｒと、装着バンド２０の左部に設けられ、左イヤホン３１Ｌが脱着可能な左イヤホン保持部２４Ｌとを有している。このＨＭＤ１によれば、ユーザはイヤホン３１Ｒ、３１Ｌの位置を目で見なくても認識できるので、イヤホン３１Ｒ、３１Ｌに関して利便性を向上できる。
【００５４】
本発明は以上説明したＨＭＤ１に限られず、適宜変更されてよい。
【００５５】
例えば、ＨＭＤ１には、上述したイヤホン装置３０とは異なるイヤホン装置、例えば、ガイド部３５、３６を有していないイヤホン装置が取り付けられてもよい。
【００５６】
また、ＨＭＤ１は、必ずしもその外面に露出したイヤホンジャック２５を有していなくてもよい。言い換えれば、ケーブル３３の一部はリア支持部２３のハウジング２３Ｈに収容されていてもよい。そして、ケーブル３３の別の一部（イヤホン３１Ｒ、３１Ｌに近い部分）だけがハウジング２３Ｈの外側に露出していてもよい。
【００５７】
さらに他の例では、ケーブル３３とケーブル４１とが一体化していてもよい。この場合、ケーブル４１がその途中で２本のケーブルに分岐して、一方のケーブルがコネクタ２７に接続され、他方のケーブルにイヤホン３１Ｒ、３１Ｌが設けられてもよい。
【図１】
2018221387.tif 000003
【図２】
2018221387.tif 000004
【図３】
2018221387.tif 000005
【図４】
2018221387.tif 000006
【図５Ａ】
2018221387.tif 000007
【図５Ｂ】
2018221387.tif 000008
【図６】
2018221387.tif 000009
【図７】
2018221387.tif 000010
【図８】
2018221387.tif 000011
【図９】
2018221387.tif 000012
【国際調査報告】
2018221387.tif 000013
2018221387.tif 000014
2018221387.tif 000015